(57)【要約】【課題】スクリーン上に投影表示された画面の特定の領域に注目させたいような場合に、該特定の領域を安定して、かつ、明確に注目させることが可能なプロジェクタ装置、表示出力方法及び表示出力プログラムを提供する。【解決手段】スクリーン上に画像を投影表示するプロジェクタ装置において、前記投影表示された画像内の特定の領域を指示するための入力手段と、前記画像内の特定の領域及び／又は他の領域に該特定の領域を強調するための画像処理を施す画像処理手段と、を備える。【選択図】図５
2006121181.tif 000002
【特許請求の範囲】
【請求項１】
スクリーン上に画像を投影表示するプロジェクタ装置において、
前記投影表示された画像内の特定の領域を指示するための入力手段と、
前記画像内の特定の領域及び／又は他の領域に該特定の領域を強調するための画像処理を施す画像処理手段と、
を備えたことを特徴とするプロジェクタ装置。
【請求項２】
スクリーン上に画像を投影表示するプロジェクタ装置において、
外部の画像出力機器と接続するための接続手段と、
前記接続手段を介して前記外部の画像出力機器から入力される画像内の特定の領域を指示する領域指示情報を受信する受信手段と、
前記画像内の特定の領域及び／又は他の領域に該特定の領域を強調するための所定の画像処理を施す画像処理手段と、
を備えたことを特徴とするプロジェクタ装置。
【請求項３】
スクリーン上に画像を投影表示するプロジェクタ装置において、
前記スクリーン上に投影表示された画像を撮影する撮影手段と、
前記撮影された画像に対し、前記スクリーン上に投影表示された画像上において指示具により指示される点の位置情報から前記画像内における特定の領域を定める処理を行う領域特定手段と、
前記画像内の特定の領域及び／又は他の領域に該特定の領域を強調するための画像処理を施す画像処理手段と、
を備えたことを特徴とするプロジェクタ装置。
【請求項４】
前記領域特定手段は、前記指示具により指示された少なくとも２つの点の位置情報から特定の領域を定めることを特徴とする請求項３に記載のプロジェクタ装置。
【請求項５】
前記領域特定手段は、前記指示具により指示された点の軌跡が示す位置情報から特定の領域を定めることを特徴とする請求項３に記載のプロジェクタ装置。
【請求項６】
前記画像処理手段は、前記特定の領域及び／又は他の領域に含まれる画素の輝度を変更することを特徴とする請求項１〜３の何れか一項に記載のプロジェクタ装置。
【請求項７】
前記画像処理手段は、前記特定の領域及び／又は他の領域に含まれる画素の階調を変更することを特徴とする請求項１〜３の何れか一項に記載のプロジェクタ装置。
【請求項８】
前記画像処理手段は、前記特定の領域及び／又は他の領域に含まれる画素に所定の画像を合成することを特徴とする請求項１〜３の何れか一項に記載のプロジェクタ装置。
【請求項９】
スクリーン上に画像を投影表示するプロジェクタ装置の表示出力方法において、
前記投影表示された画像内の特定の領域を指示するための入力工程と、
前記画像内の特定の領域及び／又は他の領域に該特定の領域を強調するための画像処理を施す画像処理工程と、
を含むことを特徴とするプロジェクタ装置の表示出力方法。
【請求項１０】
スクリーン上に画像を投影表示するプロジェクタ装置の表示出力方法において、
外部の画像出力機器から入力される画像内の特定の領域を指示する領域指示情報を受信する受信工程と、
前記画像内の特定の領域及び／又は他の領域に該特定の領域を強調するための画像処理を施す画像処理工程と、
を含むことを特徴とするプロジェクタ装置の表示出力方法。
【請求項１１】
スクリーン上に画像を投影表示するプロジェクタ装置の表示出力方法において、
前記スクリーン上に投影表示された画像を撮影する撮影工程と、
前記撮影された画像に対し、前記スクリーン上に投影表示された画像上において指示具により指示される点の位置情報から前記画像内における特定の領域を定める処理を行う領域特定工程と、
前記画像内の特定の領域及び／又は他の領域に該特定の領域を強調するための画像処理を施す画像処理工程と、
を含むことを特徴とするプロジェクタ装置の表示出力方法。
【請求項１２】
スクリーン上に画像を投影表示するプロジェクタ装置を制御するコンピュータに、
前記投影表示された画像内の特定の領域を指示するための入力機能と、
前記画像内の特定の領域及び／又は他の領域に該特定の領域を強調するための画像処理を施す画像処理機能と、
を実現させる表示出力プログラム。
【請求項１３】
スクリーン上に画像を投影表示するプロジェクタ装置を制御するコンピュータに、
外部の画像出力機器から入力される画像内の特定の領域を指示する領域指示情報を受信する受信機能と、
前記画像内の特定の領域及び／又は他の領域に該特定の領域を強調するための画像処理を施す画像処理機能と、
を実現させる表示出力プログラム。
【請求項１４】
スクリーン上に画像を投影表示するプロジェクタ装置を制御するコンピュータに、
前記スクリーン上に投影表示された前記画像を撮影する撮影機能と、
前記撮影された画像に対し、前記スクリーン上に投影表示された画像上において指示具により指示される点の位置情報から前記画像内における特定の領域を定める処理を行う領域特定機能と、
前記画像内の特定の領域及び／又は他の領域に該特定の領域を強調するための画像処理を施す画像処理機能と、
を実現させる表示出力プログラム。
【発明の詳細な説明】
【技術分野】
【０００１】
本発明は、スクリーン上に画像を投影表示するプロジェクタ装置、表示出力方法及び表示出力プログラムに関する。
【背景技術】
【０００２】
画像を用いたプレゼンテーションでは、スクリーン上に画像を投影するプロジェクタ装置が多く用いられている。今日では、多機能化が進んでおり、例えば、スクリーン上に投影された画像を撮像するモニタカメラを備えることで、映写画面の台形歪を検出し、画面位置調整を行うプロジェクタ装置が提案されている（例えば、特許文献１参照）。
【特許文献１】特開２０００−２４１８７４号公報
【発明の開示】
【発明が解決しようとする課題】
【０００３】
上記プロジェクタ装置を用いてプレゼンテーションを行う場合、スクリーン上に投影表示された画面の特定の領域に注目させたいような際には、その領域をレーザポインタ等の指示具を用いて指示することで視聴者の視線を注目させる方法が通常行われている。しかしながら、レーザポインタ等の指示具を用いて注目させる方法では、手ブレが生じてしまうため、視聴者に対し不快感を与える可能性がある。
【０００４】
そのために、プロジェクタ装置のズーミング機能等を利用して特定の領域を拡大表示する方法が考えられているが、デジタルズームでは活字やイラストの輪郭がぼやけてしまうため、かえって見辛くなってしまう可能性がある。また、特許文献１のプロジェクタ装置は、投影された画像を撮像するモニタカメラ備えているが、主に台形歪検出のために利用されているため、注目させたい画像上の特定の領域をモニタカメラを介して認識することはできず、また、注目させたい画面上の特定の領域を指示する手段も備えていないため、特定の領域を強調させるような表示を行うことはできない。
【０００５】
本発明の課題は、スクリーン上に投影表示された画面の特定の領域に注目させたいような場合に、該特定の領域を安定して、かつ、明確に注目させることが可能なプロジェクタ装置、表示出力方法及び表示出力プログラムを提供することである。
【課題を解決するための手段】
【０００６】
上記課題を解決するために、請求項１に記載の発明は、
スクリーン上に画像を投影表示するプロジェクタ装置において、
前記投影表示された画像内の特定の領域を指示するための入力手段と、
前記画像内の特定の領域及び／又は他の領域に該特定の領域を強調するための画像処理を施す画像処理手段と、
を備えたことを特徴としている。
【０００７】
また、上記課題を解決するために、請求項２に記載の発明は、
スクリーン上に画像を投影表示するプロジェクタ装置において、
外部の画像出力機器と接続するための接続手段と、
前記接続手段を介して前記外部の画像出力機器から入力される画像内の特定の領域を指示する領域指示情報を受信する受信手段と、
前記画像内の特定の領域及び／又は他の領域に該特定の領域を強調するための所定の画像処理を施す画像処理手段と、
を備えたことを特徴としている。
【０００８】
また、上記課題を解決するために、請求項３に記載の発明は、
スクリーン上に画像を投影表示するプロジェクタ装置において、
前記スクリーン上に投影表示された画像を撮影する撮影手段と、
前記撮影された画像に対し、前記スクリーン上に投影表示された画像上において指示具により指示される点の位置情報から前記画像内における特定の領域を定める処理を行う領域特定手段と、
前記画像内の特定の領域及び／又は他の領域に該特定の領域を強調するための画像処理を施す画像処理手段と、
を備えたことを特徴としている。
【０００９】
更に、請求項４に記載の発明は、請求項３に記載の発明において、
前記領域特定手段は、前記指示具により指示された少なくとも２つの点の位置情報から特定の領域を定めることを特徴としている。
【００１０】
更に、請求項５に記載の発明は、請求項３に記載の発明において、
前記領域特定手段は、前記指示具により指示された点の軌跡が示す位置情報から特定の領域を定めることを特徴としている。
【００１１】
更に、請求項６に記載の発明は、請求項１〜３の何れか一項に記載の発明において、
前記画像処理手段は、前記特定の領域及び／又は他の領域に含まれる画素の輝度を変更することを特徴としている。
【００１２】
更に、請求項７に記載の発明は、請求項１〜３の何れか一項に記載の発明において、
前記画像処理手段は、前記特定の領域及び／又は他の領域に含まれる画素の階調を変更することを特徴としている。
【００１３】
更に、請求項８に記載の発明は、請求項１〜３の何れか一項に記載の発明において、
前記画像処理手段は、前記特定の領域及び／又は他の領域に含まれる画素に所定の画像を合成することを特徴としている。
【００１４】
また、上記課題を解決するために、請求項９に記載の発明は、
スクリーン上に画像を投影表示するプロジェクタ装置の表示出力方法において、
前記投影表示された画像内の特定の領域を指示するための入力工程と、
前記画像内の特定の領域及び／又は他の領域に該特定の領域を強調するための画像処理を施す画像処理工程と、
を含むことを特徴としている。
【００１５】
また、上記課題を解決するために、請求項１０に記載の発明は、
スクリーン上に画像を投影表示するプロジェクタ装置の表示出力方法において、
外部の画像出力機器から入力される画像内の特定の領域を指示する領域指示情報を受信する受信工程と、
前記画像内の特定の領域及び／又は他の領域に該特定の領域を強調するための画像処理を施す画像処理工程と、
を含むことを特徴としている。
【００１６】
また、上記課題を解決するために、請求項１１に記載の発明は、
スクリーン上に画像を投影表示するプロジェクタ装置の表示出力方法において、
前記スクリーン上に投影表示された画像を撮影する撮影工程と、
前記撮影された画像に対し、前記スクリーン上に投影表示された画像上において指示具により指示される点の位置情報から前記画像内における特定の領域を定める処理を行う領域特定工程と、
前記画像内の特定の領域及び／又は他の領域に該特定の領域を強調するための画像処理を施す画像処理工程と、
を含むことを特徴としている。
【００１７】
また、上記課題を解決するために、請求項１２に記載の発明は、
スクリーン上に画像を投影表示するプロジェクタ装置を制御するコンピュータに、
前記投影表示された画像内の特定の領域を指示するための入力機能と、
前記画像内の特定の領域及び／又は他の領域に該特定の領域を強調するための画像処理を施す画像処理機能と、
を実現させる。
【００１８】
また、上記課題を解決するために、請求項１３に記載の発明は、
スクリーン上に画像を投影表示するプロジェクタ装置を制御するコンピュータに、
外部の画像出力機器から入力される画像内の特定の領域を指示する領域指示情報を受信する受信機能と、
前記画像内の特定の領域及び／又は他の領域に該特定の領域を強調するための画像処理を施す画像処理機能と、
を実現させる。
【００１９】
また、上記課題を解決するために、請求項１４に記載の発明は、
スクリーン上に画像を投影表示するプロジェクタ装置を制御するコンピュータに、
前記スクリーン上に投影表示された前記画像を撮影する撮影機能と、
前記撮影された画像に対し、前記スクリーン上に投影表示された画像上において指示具により指示される点の位置情報から前記画像内における特定の領域を定める処理を行う領域特定機能と、
前記画像内の特定の領域及び／又は他の領域に該特定の領域を強調するための画像処理を施す画像処理機能と、
を実現させる。
【発明の効果】
【００２０】
請求項１に記載の発明によれば、スクリーン上に画像を投影表示するプロジェクタ装置において、前記投影表示された画像内の特定の領域を指示するための入力手段と、前記画像内の特定の領域及び／又は他の領域に該特定の領域を強調するための画像処理を施す画像処理手段と、を備えている。このことにより、スクリーン上に投影表示された画像内の特定の領域を注目させたいような場合に、入力手段を介して画像内における特定の領域を指示することで、該特定の領域を強調表示させることが可能であるため、安定して、かつ、明確に画像内の特定の領域を注目させることができる。
【００２１】
請求項２に記載の発明によれば、スクリーン上に画像を投影表示するプロジェクタ装置において、外部の画像出力機器と接続するための接続手段と、前記接続手段を介して前記外部の画像出力機器から入力される画像内の特定の領域を指示する領域指示情報を受信する受信手段と、前記画像内の特定の領域及び／又は他の領域に該特定の領域を強調するための所定の画像処理を施す画像処理手段と、を備えている。このことにより、スクリーン上に投影表示された画像内の特定の領域を注目させたいような場合に、接続手段を介して接続可能な外部の画像出力機器を介して特定の領域を指示することで、該特定の領域を強調表示させることが可能であるため、安定して、かつ、明確に画像内の特定の領域を注目させることができる。
【００２２】
請求項３に記載の発明によれば、スクリーン上に画像を投影表示するプロジェクタ装置において、前記スクリーン上に投影表示された画像を撮影する撮影手段と、前記撮影された画像に対し、前記スクリーン上に投影表示された画像上において指示具により指示される点の位置情報から前記画像内における特定の領域を定める処理を行う領域特定手段と、前記画像内の特定の領域及び／又は他の領域に該特定の領域を強調するための画像処理を施す画像処理手段と、を備えている。このことにより、スクリーン上に投影表示された画像内の特定の領域を注目させたいような場合に、該スクリーン上に投影表示された画像上を指示具により指示することで、該指示された位置情報に基づいて画像上における特定の領域を決定し、この特定の領域を強調表示させることが可能であるため、安定して、かつ、明確に画像内の特定の領域を注目させることができる。
【００２３】
請求項４に記載の発明によれば、領域特定手段は、指示具により指示された少なくとも２つの点の位置情報から特定の領域を定める。このことにより、指示具により少なくとも２つの点が画像上で指定されれば、その位置情報に基づいて特定の領域を決定することが可能であるため、容易に特定の領域を指示することができる。
【００２４】
請求項５に記載の発明によれば、領域特定手段は、指示具により指示された点の軌跡が示す位置情報から特定の領域を定める。このことにより、指示具により点の軌跡として画像上で指定されれば、その位置情報に基づいて特定の領域を決定することが可能であるため、容易に特定の領域を指示することができる。
【００２５】
請求項６に記載の発明によれば、画像処理手段は、特定の領域及び／又は他の領域に含まれる画素の輝度を変更する。このことにより、画像内において注目させたい特定の領域を強調した表示が可能となるため、確実に画像内の特定の領域を明確に注目させることができる。例えば、他の領域に含まれる画素の輝度を低下させる処理を施すことにより、特定の領域部分を明確に強調表示することができる。
【００２６】
請求項７に記載の発明によれば、画像処理手段は、特定の領域及び／又は他の領域に含まれる画素の階調を変更する。このことにより、画像内において注目させたい特定の領域を強調した表示が可能となるため、確実に画像内の特定の領域を明確に注目させることができる。例えば、他の領域に含まれる画素の階調を暗くさせる処理を施すことにより、特定の領域部分を明確に強調表示することができる。
【００２７】
請求項８に記載の発明によれば、画像処理手段は、特定の領域及び／又は他の領域に含まれる画素に所定の画像を合成する。このことにより、画像内において注目させたい特定の領域を強調した表示が可能となるため、確実に画像内の特定の領域を明確に注目させることができる。例えば、特定の領域部分周辺に飾り枠のようなイラスト画像を合成することにより、特定の領域部分を明確に強調表示することができる。
【００２８】
請求項９に記載の発明によれば、スクリーン上に画像を投影表示するプロジェクタ装置の表示出力方法において、前記投影表示された画像内の特定の領域を指示するための入力工程と、前記画像内の特定の領域及び／又は他の領域に該特定の領域を強調するための画像処理を施す画像処理工程と、を含んでいる。このことにより、スクリーン上に投影表示された画像内の特定の領域を注目させたいような場合に、画像内における特定の領域を指示することで、該特定の領域を強調表示させることが可能であるため、安定して、かつ、明確に画像内の特定の領域を注目させることができる。
【００２９】
請求項１０に記載の発明によれば、スクリーン上に画像を投影表示するプロジェクタ装置の表示出力方法において、外部の画像出力機器から入力される画像内の特定の領域を指示する領域指示情報を受信する受信工程と、前記画像内の特定の領域及び／又は他の領域に該特定の領域を強調するための画像処理を施す画像処理工程と、を含んでいる。このことにより、スクリーン上に投影表示された画像内の特定の領域を注目させたいような場合に、外部の画像出力機器から入力される領域指示情報を介して特定の領域を指示することで、該特定の領域を強調表示させることが可能であるため、安定して、かつ、明確に画像内の特定の領域を注目させることができる。
【００３０】
請求項１１に記載の発明によれば、スクリーン上に画像を投影表示するプロジェクタ装置の表示出力方法において、前記スクリーン上に投影表示された画像を撮影する撮影工程と、前記撮影された画像に対し、前記スクリーン上に投影表示された画像上において指示具により指示される点の位置情報から前記画像内における特定の領域を定める処理を行う領域特定工程と、前記画像内の特定の領域及び／又は他の領域に該特定の領域を強調するための画像処理を施す画像処理工程と、を含んでいる。このことにより、スクリーン上に投影表示された画像内の特定の領域を注目させたいような場合に、該スクリーン上に投影表示された画像上を指示具により指示することで、該指示された位置情報に基づいて画像上における特定の領域を決定し、この特定の領域を強調表示させることが可能であるため、安定して、かつ、明確に画像内の特定の領域を注目させることができる。
【００３１】
請求項１２に記載の発明によれば、スクリーン上に画像を投影表示するプロジェクタ装置を制御するコンピュータに、前記投影表示された画像内の特定の領域を指示するための入力機能と、前記画像内の特定の領域及び／又は他の領域に該特定の領域を強調するための画像処理を施す画像処理機能と、を実現させる。このことにより、スクリーン上に投影表示された画像内の特定の領域を注目させたいような場合に、画像内における特定の領域を指示することで、該特定の領域を強調表示させることが可能であるため、安定して、かつ、明確に画像内の特定の領域を注目させることができる。
【００３２】
請求項１３に記載の発明によれば、スクリーン上に画像を投影表示するプロジェクタ装置を制御するコンピュータに、外部の画像出力機器から入力される画像内の特定の領域を指示する領域指示情報を受信する受信機能と、前記画像内の特定の領域及び／又は他の領域に該特定の領域を強調するための画像処理を施す画像処理機能と、を実現させる。このことにより、スクリーン上に投影表示された画像内の特定の領域を注目させたいような場合に、外部の画像出力機器から入力される領域指示情報を介して特定の領域を指示することで、該特定の領域を強調表示させることが可能であるため、安定して、かつ、明確に画像内の特定の領域を注目させることができる。
【００３３】
請求項１４に記載の発明によれば、スクリーン上に画像を投影表示するプロジェクタ装置を制御するコンピュータに、前記スクリーン上に投影表示された前記画像を撮影する撮影機能と、前記撮影された画像に対し、前記スクリーン上に投影表示された画像上において指示具により指示される点の位置情報から前記画像内における特定の領域を定める処理を行う領域特定機能と、前記画像内の特定の領域及び／又は他の領域に該特定の領域を強調するための画像処理を施す画像処理機能と、を実現させる。このことにより、スクリーン上に投影表示された画像内の特定の領域を注目させたいような場合に、該スクリーン上に投影表示された画像上を指示具により指示することで、該指示された位置情報に基づいて画像上における特定の領域を決定し、この特定の領域を強調表示させることが可能であるため、安定して、かつ、明確に画像内の特定の領域を注目させることができる。
【発明を実施するための最良の形態】
【００３４】
以下、本発明をプロジェクタ装置１０に適用した例を図面を参照して説明する。ただし、本発明の範囲は、図示例に限定されないものとする。
【００３５】
＜第１の実施形態＞
図１は、第１の実施形態に係るプロジェクタ装置１０の外観構成を示すものである。同図（ａ）に示すように、直方体上の本体ケーシング１１の前面に、投影レンズ１２、撮影レンズ１３、Ｉｒ送信部１４及びＩｒ受信部１５が配設される。
【００３６】
投影レンズ１２は、後述するマイクロミラー素子等の空間的光変調素子で形成された光像をスクリーン等に投影するためのものであり、ここでは合焦位置及びズーム位置（投影画角）をそれぞれ所定の範囲内で任意に可変できるものとする。
【００３７】
撮影レンズ１３は、上記投影レンズ１２と少なくとも同等の撮影画角を有する自動合焦及びズーム可能な光学レンズ系を有し、不図示の固体撮像素子の撮像面に上記投影レンズ１２の投影画像を含む光像を結像させる。
【００３８】
Ｉｒ送信部１４は、上記投影レンズ１２の投影方向中心に対して赤外光（Infrared）を放射する。
【００３９】
Ｉｒ受信部１５は、上記Ｉｒ送信部１４が放射した赤外光が投影対象となるスクリーン等で反射した場合の反射光や、不図示のリモートコントローラからのキー操作信号が重畳された赤外光等を受信する。
【００４０】
本実施形態では、これらＩｒ送信部１４及びＩｒ受信部１５により後述する如く赤外光を用いたアクティブ方式の自動合焦処理を実行するものとする。
【００４１】
また、本体ケーシング１１の上面には、本体メインキー１６、スピーカ１７が配設される。
【００４２】
本体メインキー１６は、電源のオン／オフや各種操作を行うためのキーと、その操作状態を点灯／消灯及び点灯色により表示するＬＥＤ（Light Emitting Diode ）等のインジケータと、を有して構成されている。
【００４３】
スピーカ１７は、プレゼンテーション内容や記録した動画の再生時等の音声を拡張出力する。
【００４４】
カバー１８は、カバー内に不図示のメモリカード装填部を有しており、メモリカード装填の際に開閉する。
【００４５】
さらに、図１（ｂ）に示すように、本体ケーシング１１の背面には、入出力コネクタ部１９、Ｉｒ受信部２０及びＡＣアダプタ接続部２１が配設される。
【００４６】
入出力コネクタ部１９は、例えば、パーソナルコンピュータ（Personal Computer；以下、ＰＣという）等の外部機器との映像入出力の接続するためのＵＳＢ（Universal Serial Bus）端子、映像入力用のミニＤ−ＳＵＢ端子、Ｓ端子及びＲＣＡ端子、音声入力用のステレオミ二端子等を有している。
【００４７】
Ｉｒ受信部２０は、上記Ｉｒ受信部１５と同様に、不図示のリモートコントローラからのキー操作信号が重畳された赤外光を受信する。
【００４８】
ＡＣアダプタ接続部２１は、電源となる不図示のＡＣアダプタからのケーブルを接続する。
【００４９】
加えて、本体ケーシング１１の下面には、背面側に一対の固定脚部２２、２２が取り付けられるとともに、前面側に高さ調節が可能な調整脚部２３が取り付けられる。
調整脚部２３は、そのねじ回転位置を手動で操作することにより、正確には上記投影レンズ１２の投影方向の鉛直方向成分、すなわち仰角を調整する。
【００５０】
次に、図２を参照して上記プロジェクタ装置１０の機能的構成について説明する。プロジェクタ装置１０は、入出力インタフェース３１、画像変換部３２、画像処理部３３、ビデオＲＡＭ（Random Access Memory）３４、表示駆動部３５、空間的光変調素子（ＳＯＭ）３６、光源ランプ３７、レンズモータ３８、レンズモータ３９、ＣＣＤ（Charge Coupled Devices）４０、プロセス回路４１、画像圧縮／伸長部４２、制御部４３、音声処理部４４、Ｉｒ処理部４５、Ｉｒ送受信部４６、本体キー部４７等を有して構成されている。
【００５１】
図中、上記入出力コネクタ部１９より入力された各種規格の画像信号は、入出力インタフェース（Ｉ／Ｆ）３１、システムバスＳＢを介して画像変換部３２で表示に適した所定のフォーマットの画像信号に統一された後に、画像処理部３３へ出力される。
【００５２】
画像処理部３３は、出力された画像信号をビデオＲＡＭ３４に展開記憶させた上でこのビデオＲＡＭ３４の記憶内容からビデオ信号を発生して表示駆動部３５に出力する。また、画像処理部３３は、ビデオＲＡＭ３４に記憶された画像信号の一部又は全てに対し、輝度の変更、階調の変更、所定の画像の合成する等の各種画像処理を施す。
【００５３】
表示駆動部３５は、送られてきた画像信号に対応して適宜フレームレート、例えば、３０（フレーム／秒）でＳＯＭ３６を表示駆動するもので、この空間的光変調素子３６に対して、例えば、超高圧水銀灯等の光源ランプ３７が出射する高輝度の白色光を照射することで、その反射光で光像が形成され、上記投影レンズ１２を介して不図示のスクリーンに投影表示される。
【００５４】
しかるに、上記投影レンズ１２は、レンズモータ（Ｍ）３８に駆動されることでズーム位置及びフォーカス位置を適宜移動する。
【００５５】
また、投影画像の撮影を行う撮影モード時には、レンズモータ（Ｍ）３９によりズーム位置及びフォーカス位置が移動される上記撮影レンズ１３の光軸上に配置された、固体撮像素子であるＣＣＤ４０の撮像面に結像すると、ＣＣＤ４０から対応するアナログ置の画像信号が生成され、プロセス回路４１に送られる。
【００５６】
プロセス回路４１は、ＣＣＤ４０で得た画像信号をデジタル化し、画素補完処理及びγ補正処理を含むカラープロセス処理を実施した上でデジタル置の輝度信号Ｙ及び色差信号Ｃｂ、Ｃｒを生成し、システムバスＳＢを介して画像圧縮／伸長部４２に出力する。
【００５７】
画像圧縮／伸長部４２は、輝度及び色差信号信号をＡＤＣＴ、ハフマン符号化等の処理によりデータ圧縮し、得られた画像データを、本プロジェクタ装置１０の記録媒体として着脱自在に装着されるメモリカードに順次書き込む。
【００５８】
制御部４３は、ＣＰＵ（Central Processing Unit）、該ＣＰＵで実行される動作プログラムを固定的に記憶したＲＯＭ（Read Only Memory）、ワークメモリとして使用されるＲＡＭ（Random Access Memory）等を有して構成される（何れも不図示）。制御部４３は、上記した各回路の動作全般を統括的に制御する。
【００５９】
また、制御部４３は、本体メインキー１６又は不図示のリモコン等を介して投影表示されている画像内の特定の領域が指示されると、この特定の領域を強調させる画像処理を行うよう画像処理部３３を制御する。
【００６０】
この制御部４３にはまた、システムバスＳＢを介して音声処理部４４及びＩｒ処理部４５が接続される。
【００６１】
音声処理部４４は、ＰＣＭ音源等の音源回路を備え、投影モード及び再生モード時には音声データをアナログ化し、上記スピーカ１７を駆動して拡声放音させる。
【００６２】
Ｉｒ処理部４５は、上記Ｉｒ送信部１４とＩｒ受信部１５、及びＩｒ受信部２０で構成されるＩｒ送受信部４６と接続され、Ｉｒ送信部１４での赤外光の発信に伴う反射光をＩｒ受信部１５が受信した際には、その時間差から投影対象までの距離を算出し、あるいはＩｒ受信部１５及びＩｒ受信部２０で図示しないリモートコントローラからのキー操作信号を受信した際には、復調処理によりその操作キーに対応したコード情報を生成して制御部４３に出力する。
【００６３】
なお、上記本体メインキー１６により本体キー部４７を構成するもので、これらのキー操作信号は何れも制御部４３へ出力される。
【００６４】
次に、図３〜図５を参照して、プロジェクタ装置１０が投影表示する画像Ｇ内において特定の領域Ａを強調表示させる際の処理の流れについて説明する。なお、本処理の前提として、プロジェクタ装置１０は、図３（a）に示すように、スクリーンＳに画像Ｇを投影表示しているものとする。
【００６５】
まず、スクリーンＳに投影表示された画像Ｇ内において、視聴者に注目させたいと所望する特定の領域Ａが、本体メインキー１６のキー又は不図示のリモコンを介してユーザにより入力指示される（ステップＭ１１）。なお、図３（ｂ）では、特定の領域Ａを矩形状としたが、これに限らないものとする。
【００６６】
次いで、制御部４３の制御に応じ画像処理部３３により、ステップＭ１１で指示された画像Ｇ内の特定の領域Ａを強調表示させるような所定の画像処理が、該画像Ｇに対応する画像信号に対し施される（ステップＭ１２）。
【００６７】
ここで、特定の領域Ａを強調表示させるような所定の画像処理とは、特定の領域及び／又は他の領域に対して画像処理を施すことにより、該特定の領域Ａを強調させることを意味しており、例えば、図５（ａ）に示すように、特定の領域Ａ以外の他の領域の画像をぼかす等の処理を施すことで特定の領域Ａを強調することとしてもよいし、図５（ｂ）に示すように、特定の領域Ａ以外の他の領域の画像の階調を上げることで白くとんだ状態にすることで特定の領域Ａを強調することとしてもよい。
【００６８】
また、図５（ｃ）に示すように、特定の領域Ａの周辺を修飾するイラスト画像等を合成する画像処理を施すことで特定の領域Ａを強調することとしてもよいし、図５（ｄ）に示すように、網掛け等の画像を合成することで特定の領域Ａ以外の他の領域を覆ってしまうことで特定の領域Ａを強調することとしてもよい。なお、特定の領域Ａの強調表示の方法は、上記した画像処理に限らず、例えば、輝度の変更や、ネガポジ反転等の画像処理を施すことで特定の領域Ａを強調することとしてもよい。また、本実施形態では、特定の領域Ａ又はその他の領域の何れかに画像処理を施すこととしたが、両者に対して処理を施すこととしてもよいし、複数の画像処理を組み合わせて施すこととしてもよい。
【００６９】
図４に戻り、ステップＭ１２で画像処理された画像信号が、スクリーンＳに投影表示されて（ステップＭ１３）、本処理は終了する。
【００７０】
以上のように、本第１の実施形態によれば、スクリーンＳ上に投影表示された画像内の特定の領域を注目させたいような場合に、本体メインキー１６を介して画像Ｇ内における特定の領域Ａを指示することで、該特定の領域Ａを強調表示させることが可能であるため、安定して、かつ、明確に画像Ｇ内の特定の領域Ａを注目させることができる。
【００７１】
＜第２の実施形態＞
次に、本発明の第２の実施形態について説明する。ただし、本第２の実施形態は前述の第１の実施形態と異なる点のみについて説明を行い、前述の第１の実施形態と同様の構成については説明を省略する。
【００７２】
本第２の実施形態では、図６に示すように入出力コネクタ部１９を介してプロジェクタ装置１０と接続したＰＣ（Personal Computer）等の情報端末Ｃから、画像Ｇ内における特定の領域を強調表示させる際の処理の流れについて説明する。
【００７３】
以下、図７のフローチャートを参照して画像Ｇ内の特定の領域Ａを強調表示させる際の処理の流れについて説明する。なお、本処理の前提として、プロジェクタ装置１０は、図６に示すように、情報端末Ｃの表示部に表示された画像ＧをスクリーンＳに投影表示しているものとする。
【００７４】
まず、情報端末Ｃの表示部に表示された画像Ｇ内において、視聴者に注目させたいと所望する特定の領域Ａが情報端末Ｃの操作部を介してユーザにより入力指示されると、この指示信号が入出力コネクタ部１９を介して制御部４３に出力される（ステップＭ２１）。
【００７５】
次いで、制御部４３の制御に応じ画像処理部３３により、ステップＭ２１で受信された指示信号に基づいて現在投影中の画像Ｇ内の特定の領域Ａを強調表示させるような所定の画像処理が、該画像Ｇに対応する画像信号に対し施される（ステップＭ２２）。
【００７６】
さらに、ステップＭ２２で画像処理された画像信号が、スクリーンＳに投影表示されて（ステップＭ２３）、本処理は終了する。
【００７７】
以上のように、本第２の実施形態によれば、スクリーンＳ上に投影表示された画像Ｇ内の特定の領域を注目させたいような場合に、入出力コネクタ部１９に接続可能な外部の画像出力機器を介して特定の領域Ａを指示することで、該特定の領域Ａを強調表示させることが可能であるため、安定して、かつ、明確に画像Ｇ内の特定の領域Ａを注目させることができる。
【００７８】
＜第３の実施形態＞
次に本発明の第３の実施形態について説明する。ただし、本第３の実施形態は前述の第１の実施形態と異なる点のみについて説明を行い、前述の第１の実施形態と同様の構成については説明を省略する。
【００７９】
本第３の実施形態では、図８に示すように、プロジェクタ装置１０によりスクリーンＳに投影表示された画像Ｇ上において、レーザポインタ等の指示具を用いて注目させたい領域を指示し、画像Ｇ内における特定の領域Ａを強調表示させる際の処理の流れを説明する。
【００８０】
まず、第３の実施形態に係るプロジェクタ装置１０の機能的構成について図２を参照して説明する。本第３の実施形態に係るプロジェクタ装置１０は、第１の実施形態の構成に加え、画像解析部４８を更に有して構成される。
【００８１】
この画像解析部４８は、プロセス回路４１から出力される画像信号からスクリーンＳに投影表示された画像Ｇ上においてレーザポインタ等の指示具により指示された点の位置情報を検出し、この検出された位置情報に基づいて画像Ｇ内の特定の領域Ａを決定する。そして、画像解析部４８は、この決定された特定の領域Ａを示す座標等の情報を制御部４３に出力する。
【００８２】
ここで、図９を参照して指示具により指示される点の位置情報から、特定の領域Ａを決定する際の動作について説明する。ここで、同図中における各点及び線分は、指示具により指示された点及び点の軌跡を意味している。
【００８３】
まず、スクリーンＳに投影表示された画像Ｇ上において、図９（ａ）に示すように、点Ｐ１及び点Ｐ２の２点が指示具により指示されたような場合、画像解析部４８は、プロセス回路４１から出力された画像信号から画像Ｇ上における点Ｐ１及び点Ｐ２の位置情報を検出し、点Ｐ１及び点Ｐ２の２点間を対角線とする矩形状の領域を特定の領域Ａとして決定する。なお、特定の領域Ａの決定方法はこれに限らず、例えば、点Ｐ１及び点Ｐ２の２点間を一辺とする矩形状の領域を特定の領域Ａとしてもよい。また、指示具により指示される点の数は特に問わないものとし、特定の領域Ａの形状は矩形状に限らないものとする。
【００８４】
次に、図９（ｂ）に示すように、点Ｐを移動させることにより線分状の軌跡として指示されたような場合、画像解析部４８は、プロセス回路４１から出力された画像信号から画像Ｇ上における点Ｐの軌跡の位置情報を検出し、この軌跡を対角線とする矩形状の領域を特定の領域Ａとして決定する。なお、特定の領域Ａの決定方法はこれに限らず、例えば、線分を一辺とする矩形状の領域を特定の領域Ａとしてもよい。
【００８５】
また、点Ｐを移動させることにより線分上の軌跡が、図９（ｃ）に示すような閉区画をもって指示されたような場合、画像解析部４８は、プロセス回路４１から出力された画像信号から画像Ｇ上における点Ｐの軌跡により指示された閉区画の位置情報を検出し、この閉区画に外接する矩形状の領域を特定の領域Ａとして決定する。なお、特定の領域Ａの決定方法はこれに限らず、例えば、閉区画に内接する矩形状の領域を特定の領域Ａとしてもよいし、閉区画内そのものを特定の領域Ａとしてもよい。
【００８６】
次に、図１０のフローチャートを参照してプロジェクタ装置１０が投影表示する画像Ｇ内において特定の領域Ａを強調表示させる際の処理の流れについて説明する。なお、本処理の前提として、図８に示すように、プロジェクタ装置１０により画像ＧがスクリーンＳに投影表示されているものとし、指示具としてレーザポインタが用いられるものとする。
【００８７】
まず、撮影レンズ１３によりスクリーンＳに投影表示された画像Ｇが撮像される（ステップＭ３１）。この状態で、スクリーンＳに投影表示された画像Ｇ上にレーザポインタにより注目させたいと所望する箇所が指示されると、画像解析部４８により該指示された位置情報から、特定の領域Ａが決定される（ステップＭ３２）
【００８８】
次いで、制御部４３の制御に応じ画像処理部３３により、ステップＭ３２で決定された画像Ｇ内の特定の領域Ａを強調表示させるような所定の画像処理が、該画像Ｇに対応する画像信号に対し施される（ステップＭ３３）。
【００８９】
さらに、ステップＭ３３で画像処理された画像信号が、スクリーンＳに投影表示されて（ステップＭ３４）、本処理は終了する。
【００９０】
以上のように、本第３の実施形態によれば、スクリーンＳ上に投影表示された画像Ｇ内の特定の領域を注目させたいような場合に、該投影表示された画像Ｇ上を所定の指示具により指示することで、該指示された位置情報に基づいて画像上における特定の領域Ａを決定し、この特定の領域Ａを強調表示させることが可能であるため、安定して、かつ、明確に画像Ｇ内の特定の領域Ａを注目させることができる。
【００９１】
上記実施形態における記述は、本発明に係るプロジェクタ装置の一例を示すものであり、これに限定されるものではない。上記実施形態におけるプロジェクタ装置１０の細部構成及び詳細動作に関しては、本発明の趣旨を逸脱しない範囲で適宜変更可能である。
【図面の簡単な説明】
【００９２】
【図１】プロジェクタ装置の外観構成を示す図である。
【図２】プロジェクタ装置の機能的構成を示すブロック図である。
【図３】（ａ）スクリーンに投影表示された画像の一例を示す図である。（ｂ）画像内において指示された特定の領域の一例を示す図である。
【図４】第１の実施形態における強調表示処理の流れを示すフローチャートである。
【図５】（ａ）特定の領域を強調させるための画像処理の一例を示す図である。（ｂ）特定の領域を強調させるための画像処理の一例を示す図である。（ｃ）特定の領域を強調させるための画像処理の一例を示す図である。（ｄ）特定の領域を強調させるための画像処理の一例を示す図である。
【図６】第２の実施形態におけるプロジェク装置と端末装置との関係を示す図である。
【図７】第２の実施形態における強調表示処理の流れを示すフローチャートである。
【図８】第３の実施形態におけるプロジェクタ装置のスクリーンに投影表示された画像の一例を示す図である。
【図９】（ａ）指示具により指示された点の位置に基づいて決定された特定の領域Ａの一例を示す図である。（ｂ）指示具により指示された点の位置に基づいて決定された特定の領域Ａの一例を示す図である。（ｃ）指示具により指示された点の位置に基づいて決定された特定の領域Ａの一例を示す図である。
【図１０】第３の実施形態における強調表示処理の流れを示すフローチャートである。
【符号の説明】
【００９３】
１０  プロジェクタ装置
１１  本体ケーシング
１２  投影レンズ
１３  撮影レンズ
１４  Ｉｒ送信部
１５  Ｉｒ受信部
１６  本体メインキー
１７  スピーカ
１８  カバー
１９  入出力コネクタ部
２０  Ｉｒ受信部
２１  ＡＣアダプタ接続部
２２  固定脚部
２３  調整脚部
３１  入出力インタフェース
３２  画像変換部
３３  画像処理部
３４  ビデオＲＡＭ
３５  表示駆動部
３６  空間的光変調素子（ＳＯＭ）
３７  光源ランプ
３８  レンズモータ
３９  レンズモータ
４０  ＣＣＤ
４１  プロセス回路
４２  画像圧縮／伸長部
４３  制御部
４４  音声処理部
４５  Ｉｒ処理部
４６  Ｉｒ送受信部
４７  本体キー部
４８  画像解析部
【図１】
2006121181.tif 000003
【図２】
2006121181.tif 000004
【図３】
2006121181.tif 000005
【図４】
2006121181.tif 000006
【図５】
2006121181.tif 000007
【図６】
2006121181.tif 000008
【図７】
2006121181.tif 000009
【図８】
2006121181.tif 000010
【図９】
2006121181.tif 000011
【図１０】
2006121181.tif 000012